(57)【要約】【課題】ＨＤＤの外部磁場による誤動作を防止しうるヘッドスライダ，およびそれを備えたＨＤＤを提供する【解決手段】本発明によれば，スライダ胴体１４１と，スライダ胴体に搭載され，ディスクにデータを記録する記録部１５１およびディスクからデータを再生する再生部１６１を有する磁気ヘッド１５０とを備えたヘッドスライダ１４０において：記録部および再生部の誤動作を引き起こす外部磁場を遮蔽するための遮蔽膜１７０が形成されているヘッドスライダを提供することができる。かかる構成によれば，ヘッドスライダに形成された遮蔽膜が外部磁場を遮蔽するため，磁気ヘッドは，外部磁場に晒されず，よって自らの誤動作を防止することができる。かかる磁気ヘッドを備えたヘッドスライダでは，外部磁場による誤動作が防止されうる。【選択図】図４
2006190449.tif 000002
【特許請求の範囲】
【請求項１】
スライダ胴体と，前記スライダ胴体に搭載され，ディスクにデータを記録する記録部および前記ディスクからデータを再生する再生部を有する磁気ヘッドとを備えたヘッドスライダにおいて：
前記記録部および前記再生部の誤動作を引き起こす外部磁場を遮蔽するための遮蔽膜が形成されていることを特徴とするヘッドスライダ。
【請求項２】
前記磁気ヘッドの外面に前記遮蔽膜が形成されていることを特徴とする，請求項１に記載のヘッドスライダ。
【請求項３】
前記磁気ヘッドの前記ディスクとの対向面には，前記遮蔽膜が形成されていないことを特徴とする，請求項１または２に記載のヘッドスライダ。
【請求項４】
前記遮蔽膜がミューメタルからなることを特徴とする，請求項１〜３のいずれかに記載のヘッドスライダ。
【請求項５】
前記遮蔽膜が９００μ以上の透磁率を有する物質からなることを特徴とする，請求項１〜４のいずれかに記載のヘッドスライダ。
【請求項６】
ディスクと，前記ディスクにデータを記録および前記ディスクからデータを再生するヘッドスライダとを備えたハードディスクドライブにおいて：
前記ヘッドスライダは，スライダ胴体と，前記スライダ胴体に搭載され，前記ディスクにデータを記録する記録部および前記ディスクからデータを再生する再生部を有する磁気ヘッドとを備え，
前記ヘッドスライダには，前記記録部および前記再生部の誤動作を引き起こす外部磁場を遮蔽するための遮蔽膜が形成されていることを特徴とする，ハードディスクドライブ。
【請求項７】
前記磁気ヘッドの外面に前記遮蔽膜が形成されていることを特徴とする，請求項６に記載のハードディスクドライブ。
【請求項８】
前記磁気ヘッドの前記ディスクとの対向面には，前記遮蔽膜が形成されていないことを特徴とする，請求項６または７に記載のハードディスクドライブ。
【請求項９】
前記遮蔽膜がミューメタルからなることを特徴とする，請求項６〜８のいずれかに記載のハードディスクドライブ。
【請求項１０】
前記遮蔽膜が９００μ以上の透磁率を有する物質からなることを特徴とする，請求項６〜９のいずれかに記載のハードディスクドライブ。
【発明の詳細な説明】
【技術分野】
【０００１】
本発明は，ハードディスクドライブに係り，特に外部磁場による誤動作を防止しうるヘッドスライダ，およびそれを備えたハードディスクドライブに関する。
【背景技術】
【０００２】
ハードディスクドライブ（ＨＤＤ：Hard Disk Drive）は，コンピュータに用いられる補助記憶装置の一つであり，磁気ヘッドによってディスクに記録されたデータを再生する，またはディスクに新たなデータを記録する装置である。磁気ヘッドは，ヘッドスライダに搭載される。ＨＤＤの作動中，ヘッドスライダは，ディスク表面から所定の間隔で浮揚してフローティング状態を保持し，磁気ヘッドによってディスクに記録されたデータを読取り再生する，またはディスクに新たなデータを書込み記録する。
【０００３】
図１は，従来のヘッドスライダの一例を示す断面図である。図１を参照すれば，ヘッドスライダ１０は，ＡｌＴｉＣ（Ａｌ２Ｏ３−ＴｉＣ合金）からなるスライダ胴体１１と，スライダ胴体１１の一側に搭載された磁気ヘッド２０とを備える。磁気ヘッド２０は，ディスク（図示せず）にデータを書込む記録部２１と，ディスクに記録されたデータを読取る再生部２５とを備える。記録部２１は，磁気ヘッド２０の内部で互いに連結されて磁性コアを形成する第１および第２磁極２２，２３と，磁性コアに設けられた巻線コイル２４とを備える。また，再生部２５は，互いに並列された第１および第２シールド２６，２７と，１対のシールド２６，２７の間に設けられたＭＲセンサ（Magnetro Resistance sensor）２８とを備える。記録部２１および再生部２５は，アルミナ（Ａｌ２Ｏ３）からなる保護層２９で被覆されている。ヘッドスライダ１０のディスクとの対向面には，ディスク（図示せず）との接触による損傷を抑えるために，ＤＬＣ（Diamond Like Carbon）からなるコーティング膜１３が形成される。
【発明の開示】
【発明が解決しようとする課題】
【０００４】
一方，ヘッドスライダ１０が矢印で図示されるように外部磁場Ｍに晒されれば，外部磁場Ｍは，ディスクにデータを記録するために記録部２１により生成された記録磁場を撹乱し，誤動作を引き起こしうる。また，外部磁場Ｍは，再生部２５のＭＲセンサ２８の誤動作も引き起こしうる。
【０００５】
最近では，ＨＤＤが高集積・小型化されて携帯電話または携帯用音楽再生装置（例えばＭＰ３プレーヤ）等の携帯機器に装着されるに至っており，ＨＤＤの外部の磁石等により形成された外部磁場がＨＤＤの内部に影響を及ぼす可能性が高くなっている。したがって，磁気ヘッド２０の誤動作を引き起こす外部磁場を遮蔽する技術の開発が希求されている。
【０００６】
本発明は，上記問題に鑑みてなされたものであり，その目的は，ＨＤＤの外部磁場による誤動作を防止しうる，新規かつ改良されたヘッドスライダ，およびそれを備えたＨＤＤを提供することにある。
【課題を解決するための手段】
【０００７】
上記課題を解決するため，本発明のある観点によれば，スライダ胴体と，スライダ胴体に搭載され，ディスクにデータを記録する記録部およびディスクからデータを再生する再生部を有する磁気ヘッドとを備えたヘッドスライダにおいて：記録部および再生部の誤動作を引き起こす外部磁場を遮蔽するための遮蔽膜が形成されているヘッドスライダが提供される。かかる構成によれば，ヘッドスライダに形成された遮蔽膜が外部磁場を遮蔽するため，磁気ヘッドは，外部磁場に晒されず，よって自らの誤動作を防止することができる。かかる磁気ヘッドを備えたヘッドスライダでは，外部磁場による誤動作が防止されうる。
【０００８】
さらに，上記磁気ヘッドの外面に遮蔽膜が形成されるようにしてもよい。また，上記磁気ヘッドのディスクとの対向面には，遮蔽膜が形成されていないようにしてもよい。ここで，磁気ヘッドの外面とは，ディスクとの対向面およびスライダ胴体との隣接面を除いた，磁気ヘッドを覆う面に相当する。これにより，磁気ヘッドは，その外面に形成された遮蔽膜により外部磁場から遮蔽され，データを書込みおよび読取りするディスクとの対向面での磁気的な性能および機能を確保しうる。
【０００９】
さらに，上記遮蔽膜がミューメタルからなるようにしてもよい。また，上記遮蔽膜が９００μ以上の透磁率を有する物質からなるようにしてもよい。これにより，遮蔽膜が高い透磁率を有する物質からなり，磁場の吸収能に優れるため，磁気ヘッドの外部磁場を十分に遮蔽しうる。
【００１０】
また，上記課題を解決するため，本発明の他の観点によれば，ディスクと，ディスクにデータを記録およびディスクからデータを再生するヘッドスライダとを備えたハードディスクドライブにおいて：ヘッドスライダは，スライダ胴体と，スライダ胴体に搭載され，ディスクにデータを記録する記録部およびディスクからデータを再生する再生部を有する磁気ヘッドとを備え，ヘッドスライダには，記録部および再生部の誤動作を引き起こす外部磁場を遮蔽するための遮蔽膜が形成されているハードディスクドライブが提供される。かかる構成によれば，ヘッドスライダに形成された遮蔽膜が外部磁場を遮蔽するため，磁気ヘッドは，外部磁場に晒されず，よって自らの誤動作を防止することができる。かかる磁気ヘッドを備えたハードディスクドライブでは，外部磁場による誤動作が防止されうる。
【００１１】
さらに，上記磁気ヘッドの外面に遮蔽膜が形成されるようにしてもよい。また，上記磁気ヘッドのディスクとの対向面には，遮蔽膜が形成されていないようにしてもよい。ここで，磁気ヘッドの外面とは，ディスクとの対向面およびスライダ胴体との隣接面を除いた，磁気ヘッドを覆う面に相当する。これにより，磁気ヘッドは，その外面に形成された遮蔽膜により外部磁場から遮蔽され，データを書込みおよび読取りするディスクとの対向面での磁気的な性能および機能を確保しうる。
【００１２】
さらに，上記遮蔽膜がミューメタルからなるようにしてもよい。また，遮蔽膜が９００μ以上の透磁率を有する物質からなるようにしてもよい。これにより，遮蔽膜が高い透磁率を有する物質からなり，磁場の吸収能に優れるため，磁気ヘッドの外部磁場を十分に遮蔽しうる。
【発明の効果】
【００１３】
以上で説明したとおり本発明によれば，ＨＤＤの外部磁場による誤動作を防止しうるヘッドスライダ，およびそれを備えたＨＤＤを提供することができる。
【発明を実施するための最良の形態】
【００１４】
以下に，添付した図面を参照しながら，本発明の好適な実施形態について詳細に説明する。なお，本明細書および図面において，実質的に同一の機能構成を有する発明特定事項については，同一の符号を付することにより重複説明を省略する。
【００１５】
図２は，本発明の一実施形態によるＨＤＤを示す平面図であり，図３は，本発明の一実施形態によるヘッドスライダを示す斜視図であり，図４は，図３のＩＶ−ＩＶ線上の断面図である。
【００１６】
図２を参照すれば，本発明の一実施形態によるＨＤＤ１００は，ベースプレート１０１とそれに固定されたカバープレート（図示せず）とからなるハウジング内に，スピンドルモータ１１０，ディスク１１５，アクチュエータ１２０およびボイスコイルモータ（ＶＣＭ：Voice Coil Motor）１９０を備える。
【００１７】
スピンドルモータ１１０は，ディスク１１５を回転させる装置であり，ベースプレート１０１に固設される。ディスク１１５は，スピンドルモータ１１０の回転子（図示せず）と結合されて，回転子の回動に応じて回転する。
【００１８】
アクチュエータ１２０は，ヘッドスライダ１４０を備え，それをディスク１１５上の所定の位置に移動させて，データをディスク１１５に書込み，またはディスク１１５から読取る機能を有しており，ヘッドジンバルアセンブリ（ＨＧＡ：Head Gimbal Assembly）１３０およびスイングアーム１２１を備える。スイングアーム１２１は，ベースプレート１０１に設けられたピボット中心軸１２５に回転可能に固定される。ＨＧＡ１３０は，スイングアーム１２１の先端部に固定されたサスペンション１３１と，サスペンション１３１の先端部に搭載されたヘッドスライダ１４０とを備える。サスペンション１３１は，ヘッドスライダ１４０をディスク１１５の表面側に付勢するように保持する。
【００１９】
ベースプレート１０１に固設されたＶＣＭ１９０は，アクチュエータ１２０に回転力を伝達する。ＶＣＭ１９０は，アクチュエータ１２０のコイルの上側および下側に設けられるマグネット１９２を備える。ＶＣＭ１９０は，サーボ制御システムにより制御され，コイル１２３に入力される電流とマグネット１９２により形成された磁場の相互作用によって，フレミングの左手法則に則る方向にアクチュエータ１２０を回転させる。
【００２０】
ベースプレート１０１の一コーナ部には，アクチュエータ１２０と電気的に連結されたＦＰＣ（Flexible Printed Circuit）１９７をベースプレート１０１の下方に配された主回路基板（図示せず）に接続するために，ＦＰＣブラケット１９５が備えられる。一方，この一コーナ部の対角線上に位置する他コーナ部には，ＨＤＤ１００の内部を流動する空気中に含有される微粒子等の異物を濾過するための循環フィルタ１９３が装着されている。
【００２１】
ＨＤＤ１００に電源が印加されるとディスク１１５が高速で回転し，サスペンション１３１に搭載されたヘッドスライダ１４０は，ディスク１１５の回転に起因して生じる空気の流れによる揚力と，ディスク１１５の表面方向に作用するサスペンション１３１の付勢力との平衡により，ディスク１１５の表面から所定の間隔で浮揚してフローティング状態を保持する。この状態で，アクチュエータ１２０は，ヘッドスライダ１４０をディスク１１５上の所定の位置に移動させて，データをディスク１１５に書込む，またはディスク１１５から読取る。
【００２２】
図３および図４を参照すれば，ヘッドスライダ１４０は，ＡｌＴｉＣからなるスライダ胴体１４１と，スライダ胴体１４１の一側に搭載された磁気ヘッド１５０とを備える。磁気ヘッド１５０は，ディスク１１５（図２参照）の回転に起因して生じる空気流が放出される，いわゆる後縁（trailing edge）１４７側に搭載される。ヘッドスライダ１４０の底面には，ディスク１１５との対向面にＡＢＳ（Air Bearing Surface）１４３，１４４，１４５が設けられ，ディスク１１５との接触による損傷を抑えるためにＤＬＣからなるコーティング膜１４８が形成される。
【００２３】
磁気ヘッド１５０は，ディスク１１５にデータを書込む記録部１５１と，ディスクからデータを読込む再生部１６１とを有する。記録部１５１は，磁気ヘッド１５０の内部で互いに連結されて磁性コアを形成する第１および第２磁極１５２，１５３と，磁性コアに設けられた巻線コイル１５４とを備える。第１および第２磁極１５２，１５３は，磁性物質であるＦｅＮｉからなりうる。書込もうとするデータに対応する電気的信号（以下，書込み信号）がＨＤＤ１００の主回路基板（図示せず）からコイル１５４に印加されると，第１および第２磁極１５２，１５３に磁束の変化がもたらされ，その変化によりディスク１１５にデータが書込まれる。
【００２４】
再生部１６１は，互いに並列された第１および第２シールド１６２，１６３と，１対のシールド１６２，１６３の間に設けられたＭＲセンサ１６４とを備える。第１および第２シールド１６２，１６３は，磁性物質のＦｅＮｉからなりうる。ファラデーの法則に則りディスク１１５の磁束変化によってＭＲセンサ１６４に読取ろうとするデータに対応する電気的信号（以下，読取り信号）が誘導され，その読取り信号は，ＨＤＤ１００の主回路基板（図示せず）に伝達される。一方，記録部１５１および再生部１６１は，Ａｌ２Ｏ３からなる保護層１６７で被覆されている。
【００２５】
ヘッドスライダ１４０には，記録部１５１および再生部１６１の誤動作を引き起こす外部磁場Ｍを遮蔽する遮蔽膜１７０が形成されている。約９００μ以上の高い透磁率を有する物質は，磁場の吸収能に優れており，外部磁場を遮蔽する遮蔽膜として用いられうる。透磁率が高くて遮蔽膜として採用されうる物質の例として，Ｎｉ合金またはＦｅ合金が挙げられる。特に，Ｎｉ−Ｆｅ合金の一種であるミューメタル（μMETAL）は，磁場遮蔽性能に優れており遮蔽膜１７０を形成する物質として望ましい。ミューメタルは，成分比によりその特性が変化するが，例えば，７７質量％のＮｉ，１５質量％のＦｅ，および少量のＣｕとＭｏから構成されるミューメタルが遮蔽膜１７０として用いられうる。遮蔽膜１７０は，メッキまたはその他のコーティング方法により形成されうる。
【００２６】
遮蔽膜１７０は，磁気ヘッド１５０の外面，すなわち，ディスク１１５との対向面およびスライダ胴体１４１との隣接面を除いた，磁気ヘッド１５０を覆う面に形成されうる。しかし，データを記録および再生するため，ディスク１１５との対向面である磁気ヘッド１５０の底面には，遮蔽膜１７０が形成されていない。
【００２７】
ヘッドスライダ１４０に影響を及ぼすＨＤＤ１００の外部磁場が遮蔽膜１７０に吸収され，磁気ヘッド１５０の内部まで到達しないため，記録部１５１および再生部１６１は，外部磁場による影響を受けなくなる。これにより，記録部１５１および再生部１６１の誤動作が防止されうる。
【００２８】
以上，添付図面を参照しながら本発明の好適な実施形態について説明したが，本発明は係る例に限定されない。当業者であれば，特許請求の範囲に記載された技術的思想の範疇内において，各種の変更例または修正例に想到し得ることは明らかであり，それらについても当然に本発明の技術的範疇に属するものと了解される。
【産業上の利用可能性】
【００２９】
本発明は，外部磁場による誤動作の防止を要するヘッドスライダ，およびそれを備えたＨＤＤに適用可能である。
【図面の簡単な説明】
【００３０】
【図１】従来のヘッドスライダの一例を示す平面図である。
【図２】本発明の一実施形態によるＨＤＤを示す平面図である。
【図３】本発明の一実施形態によるヘッドスライダを示す斜視図である。
【図４】図３のＩＶ−ＩＶ線上の断面図である。
【符号の説明】
【００３１】
１４０    ヘッドスライダ
１４１    スライダ胴体
１４７    後縁
１４８    コーティング膜
１５０    磁気ヘッド
１５１    記録部
１５２    第１磁極
１５３    第２磁極
１５４    コイル
１６１    再生部
１６２    第１シールド
１６３    第２シールド
１６４    ＭＲセンサ
１６７    保護層
１７０    遮蔽膜
【図１】
2006190449.tif 000003
【図２】
2006190449.tif 000004
【図３】
2006190449.tif 000005
【図４】
2006190449.tif 000006